(57)【要約】【課題】絡げ端子に対してコイルの端末処理が容易に行なえ、作業の能率の向上を図ることができる小型昇圧トランスを提供することにある。【解決手段】複数の絡げ端子２１を設けた台座１１と、頂壁２５及び頂壁と一体に構成された側壁２６を有し、頂壁２５に円形の嵌合孔２８を有し、前記台座１１に載置されるリングコア１２と、リングコア１２の嵌合孔２８に嵌合されるドラムコア１３と、磁芯部１３ａに巻装されたコイル２３とからなり、絡げ端子２１は、コイル２３が絡げられる基端部２１ａが狭幅で、先端部２１ｂに向かって広幅になるテーパ部２１ｃを有し、該テーパ部２１ｃには前記コイル２３の被覆を剥離するエッジ２４ａを有するコイル端末処理溝２４が形成されている。【選択図】図７
2012080136.tif 000002
【特許請求の範囲】
【請求項１】
周側部に絡げ端子を設けた台座と、頂壁及び頂壁と一体に構成された側壁を有し、前記頂壁に円形の嵌合孔を有し、前記台座に載置されるリングコアと、磁芯部を有し、該磁芯部の両端部に鍔部を有し、一方の鍔部が載置され、他方の鍔部が前記リングコアの嵌合孔に嵌合されるドラムコアと、前記磁芯部に巻装されたコイルとからなり、
前記絡げ端子は、前記コイルが絡げられる基端部が狭幅で、先端部に向かって広幅になるテーパ部を有し、該テーパ部には前記コイルの被覆を剥離するエッジを有するコイル端末処理溝が形成されていること特徴とする小型昇圧トランス。
【発明の詳細な説明】
【技術分野】
【０００１】
本発明は、例えば、カメラ等の光学機器や小型電子機器等に使用される小型昇圧トランスに関する。
【背景技術】
【０００２】
ポット型コア・リベット型コアを有するチョークコイルは、例えば、特許文献１に示すように、頂壁及び頂壁と一体に構成された側壁よりなるポット型コアと、底板と、この底板と一体にその中心部に立設される磁芯部よりなるリベット型コアと、前記磁芯部に嵌合されるコイルと、前記底板に固定される断面コ字状の端子とから構成されている。
【０００３】
この特許文献１に示すチョークコイルは、ポット型コアの頂壁の内面とリベット型コアの磁芯部の上端面との間に非磁性材料よりなるスペーサを介在し、磁路のギャップを形成している。すなわち、非磁性材料よりなるスペーサの肉厚を調整することによりチョークコイルのインダクタンスを設定している。
【０００４】
また、例えば、特許文献２に示すように、頂壁及び頂壁と一体に構成された側壁よりなるポット型コアと、底板と、この底板と一体にその中心部に立設されると共に、上端部に鍔部を有する磁芯部よりなるリベット型コアと、前記磁芯部に嵌合されるコイルと、前記底板に固定される端子とから構成した小型昇圧トランスが知られている。
【０００５】
この特許文献２の小型昇圧トランスは、ポット型コアを左右に２分割してそれぞれの頂壁の上面と鍔部の上面とを面一に形成し、頂壁の開口の内周面と鍔部の外周面との間に第１のギャップ形成部を設け、さらにポット型コアのそれぞれの側壁の下端面とリベット型コアの底板の上面とを対面させて両者間に第２のギャップ形成部を設けてコイルのインダクタンスを設定したものである。
【先行技術文献】
【特許文献】
【０００６】
【特許文献１】特許第３５８１３５０号公報
【特許文献２】特開２００６−３１３８４１号公報
【発明の概要】
【発明が解決しようとする課題】
【０００７】
特許文献１は、チョークコイルにおいて、ポット型コアの頂壁の内面とリベット型コアの磁芯部の上端面との間に非磁性材料よりなるスペーサを介在し、磁路のギャップを形成しているが、ポット型コアの頂壁の内面とリベット型コアの磁芯部の上端面、つまり、磁路のギャップ形成部はポット型コアの側壁によって囲まれている。
【０００８】
従って、チョークコイルの組立時に、ポット型コアの側壁によって囲まれている磁路のギャップ形成部に異なる肉厚のスペーサを出し入れしてチョークコイルのインダクタンスを設定することは困難で、組立工数がかかり、コストアップの原因になっている。
【０００９】
特許文献２の小型昇圧トランスは、第１と第２のギャップ形成部により選択的に磁路のギャップを形成し、コイルのインダクタンスを調整できるが、ギャップが不十分であり、インダクタンス値に限度がある。
【００１０】
本発明は、絡げ端子に対してコイルの端末処理が容易に行なえ、作業の能率の向上を図ることができる小型昇圧トランスを提供することにある。
【課題を解決するための手段】
【００１１】
本発明は、周側部に絡げ端子を設けた台座と、頂壁及び頂壁と一体に構成された側壁を有し、前記頂壁に円形の嵌合孔を有し、前記台座に載置されるリングコアと、磁芯部を有し、該磁芯部の両端部に鍔部を有し、一方の鍔部が載置され、他方の鍔部が前記リングコアの嵌合孔に嵌合されるドラムコアと、前記磁芯部に巻装されたコイルとからなり、
前記絡げ端子は、前記コイルが絡げられる基端部が狭幅で、先端部に向かって広幅になるテーパ部を有し、該テーパ部には前記コイルの被覆を剥離するエッジを有するコイル端末処理溝が形成されていること特徴とする小型昇圧トランスである。
【発明の効果】
【００１２】
本発明によれば、小型昇圧トランスにおいて、絡げ端子に対してコイルの端末処理が容易に行なえ、作業の能率の向上を図ることができるという効果がある。
【図面の簡単な説明】
【００１３】
【図１】本発明の第１の実施形態を示し、小型昇圧トランスの斜視図。
【図２】同実施形態の小型昇圧トランスの正面図。
【図３】同実施形態の小型昇圧トランスの裏面図。
【図４】同実施形態の小型昇圧トランスを示し、図３のＡ−Ａ線に沿う断面図。
【図５】同実施形態の小型昇圧トランスを示し、図２のＢ−Ｂ線に沿う断面図。
【図６】同実施形態の小型昇圧トランスを示し、台座にドラムコアを固定した状態の斜視図。
【図７】同実施形態の小型昇圧トランスを示し、台座のタップ端子及び絡げ端子の斜視図。
【発明を実施するための形態】
【００１４】
以下、本発明の実施の形態を図面に基づいて説明する。
【００１５】
図１〜図７は小型昇圧トランスの第１の実施形態を示す。図１〜図７に示すように、小型昇圧トランス１０は、台座１１と、リングコア１２と、ドラムコア１３とから構成されている。台座１１は合成樹脂材料によって一体に成形された矩形状であり、相反する２側辺部には上方へ突出する突出壁１４が設けられ、他の２側辺部は上面と面一の平坦部１５に形成されている。
【００１６】
台座１１の平坦部１５のそれぞれには略正三角形状で、頂部１６ａを外方に、平面部１６ｂを内側に向けた突起からなる第１の位置決め突部１６が対称的に一体に突設されている。突出壁１４の互いに対向する側面には矩形状に切欠した凹陥部１７が設けられている。凹陥部１７の左右角部１７ａ及び底部１７ｂの３箇所からなる第２の位置決め突部１８が形成されている。この第１と第２の位置決め突部１６，１８は台座１１に対してリングコア１２及びドラムコア１３を後述する方法によって位置決めするようになっている。
【００１７】
さらに、台座１１の上面にはシボ加工などによって粗面１９に形成されている。また、台座１１の突出壁１４側の周側部にはタップ端子２０と、このタップ端子２０を挟んで両側に絡げ端子２１が設けられている。台座１１の平坦部１５側の周側部には複数個の実装端子２２が設けられている。
【００１８】
タップ端子２０は、コイル２３が絡げられる基端部２０ａが狭幅で、先端部２０ｂに向かって広幅になる末広がり状に形成され、絡げたコイル２３がタップ端子２０の先端部２０ｂから抜け出ないように形成されている。
【００１９】
絡げ端子２１は、コイル２３が絡げられる基端部２１ａが狭幅で、先端部２１ｂが広幅になるように片側にテーパ部２１ｃに形成され、絡げたコイル２３が絡げ端子２１の先端部２１ｂから抜け出ないように形成されている。さらに、テーパ部２１ｃには絡げたコイル２３の絶縁被覆を剥離するエッジ２４ａを有するコイル端末処理溝２４が設けられている。コイル端末処理溝２４は溝幅が例えば、０．１５ｍｍと極めて狭い幅であり、コイル２３とエッジ２４ａとの摺擦により、コイル２３の絶縁被膜が剥離されて絡げ端子２１と電気的に導通されるようになっている。
【００２０】
リングコア１２は、例えば、５．８×５．８ｍｍの正方形の頂壁２５を有しており、その一つの角部には小型昇圧トランス１０の方向性を指示するためのカット面２５ａ（例えば、カット幅１．０ｍｍ）が形成されている。また頂壁２５の下面の両側部には頂壁２５と一体で、しかも頂壁２５より狭幅の一対の側壁２６（高さが例えば２．０ｍｍ）が設けられている。頂壁２５の下面には円形状の凹陥部２７が設けられ、一対の側壁２６の互いに対向する内側面には凹陥部２７の曲率に沿って円弧凹部２７ａが形成されている。さらに、頂壁２５の中央部には円形の嵌合孔２８が設けられている。
【００２１】
ドラムコア１３は、円筒状の磁芯部１３ａの上下両端部に第１の鍔部２９と第２の鍔部３０が一体に設けられている。第１の鍔部２９は、その外径が凹陥部２７及び嵌合孔２８の内径より僅かに小径で、凹陥部２７及び嵌合孔２８の内部に嵌合するようになっている。第２の鍔部３０は第１の鍔部２９より若干小径に形成されている。
【００２２】
また、磁芯部１３ａには前記コイル２３が巻装されており、このコイル２３は、内層と外層に１次巻線が、中間層に２次巻線が巻装され、それぞれの端部はタップ端子２０と絡げ端子２１に接続されるようになっている。
【００２３】
台座１１に対してドラムコア１３の第２の鍔部３０を固定する際には、台座１１の上面のシボ加工などによって形成された粗面１９に接着剤を塗布し、ドラムコア１３の第２の鍔部３０を接着固定する。このとき、第２の鍔部３０の外周面の一部は２つの第１の位置決め突部１６の平面部１６ｂに当接し、第２の鍔部３０の外周面の他の一部は２つの第２の位置決め突部１８の凹陥部１７の左右角部１７ａ及び底部１７ｂの３箇所に当接する。従って、ドラムコア１３は合計８箇所で位置決めされ、ドラムコア１３の横方向の移動が規制される。
【００２４】
台座１１に対してドラムコア１３を固定した後、磁芯部１３ａに巻装されたコイル２３の途中がタップ端子２０に絡げられ、コイル２３の端末が絡げ端子２１に絡げられるが、タップ端子２０は末広がり状に形成され、絡げ端子２１はテーパ部２１ｃを有している。従って、絡げたコイル２３が台座１１の周壁側に寄せられ、タップ端子２０及び絡げ端子２１の先端側から抜け出るのを防止できる。さらに、磁芯部１３ａに巻装されたコイル２３の途中や端末は、台座１１の突出壁１４の上面及び側面に添接されるため、突出壁１４がガイドとなりコイル２３の空中線箇所が少なくなり、断線等の虞もなく、信頼性を向上できる。
【００２５】
次に、ドラムコア１３のリングコア１２を嵌合し、リングコア１２の側壁２６を台座１１の上面に接着固定する際に、リングコア１２の円弧凹部２７ａが第１の位置決め突部１６の頂部１６ａに当接してリングコア１２の横方向が位置決め規制される。このとき、リングコア１２の円弧凹部２７ａと第１の位置決め突部１６の頂部１６ａとが圧接するため、頂部１６ａが押し潰された状態となり、リングコア１２が確実に位置決めされる。従って、リングコア１２の第１の鍔部２９の外周面とドラムコア１３の嵌合孔２８の内周面との間にコイル２３のインダクタンスを設定する磁路ギャップ３１が形成され、インダクタンスのバラツキを抑制することができる。
【００２６】
次に、小型昇圧トランスの組立方法について説明する。
【００２７】
まず、台座１１の上面に接着剤を塗布し、この台座１１の上面にコイル２３が巻装されたドラムコア１３を載置する。具体的には、ドラムコア１３の第２の鍔部３０が台座１１に固定される。台座１１とドラムコア１３とを結合した後、これを横向きにして巻線機のチャック機構に台座１１をチャッキングする。そして、ドラムコア１３の磁芯部１３ａにコイル２３を巻線し、コイル２３の端末をタップ端子２０及び絡げ端子２１に絡げ、この絡げ部を半田付けする。
【００２８】
次に、リングコア１２の側壁２６の下面に接着剤を塗布し、リングコア１２をドラムコア１３に嵌合すると、リングコア１２の嵌合孔２８がドラムコア１３の第１の鍔部２９に嵌合される。従って、コイル２３がリングコア１２の側壁２６によって覆われるとともに、リングコア１２、ドラムコア１３及び台座１１が一体的に結合され、小型昇圧トランス１０が完成する。
【００２９】
このように、台座１１とドラムコア１３とを組み立てる際及び台座１１とリングコア１２とを組み立てる際に、第１の位置決め突部１６と第２の位置決め突部１８によってドラムコア１３とリングコア１２とを位置決めするため、第１の鍔部２９と嵌合孔２８とが同心的に嵌合し、両者の位置決めが簡単であり、組立作業性が向上する。さらに、リングコア１２の第１の鍔部２９の外周面とドラムコア１３の嵌合孔２８の内周面との間にコイル２３のインダクタンスを設定する磁路ギャップ３１が形成され、インダクタンスのバラツキを抑制することができる。
【００３０】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【００３１】
本発明の小型昇圧トランスは、カメラ等の光学機器や携帯電話機等の小型電子機器等に利用できる。
【符号の説明】
【００３２】
１１…台座、１２…リングコア、１３…ドラムコア、１３ａ…磁芯部、１６…第１の位置決め突部、１８…第２の位置決め突部、２１…絡げ端子、２４ａ…エッジ、２４…コイル端末処理溝、２５…頂壁、２６…側壁、２８…嵌合孔、２９…第１の鍔部、３０…第２の鍔部、３１…磁路ギャップ。
【図１】
2012080136.tif 000003
【図２】
2012080136.tif 000004
【図３】
2012080136.tif 000005
【図４】
2012080136.tif 000006
【図５】
2012080136.tif 000007
【図６】
2012080136.tif 000008
【図７】
2012080136.tif 000009
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
周側部に絡げ端子を設けた台座と、頂壁及び頂壁と一体に構成された側壁を有し、前記頂壁に円形の嵌合孔を有し、前記台座に載置されるリングコアと、磁芯部を有し、該磁芯部の両端部に鍔部を有し、一方の鍔部が載置され、他方の鍔部が前記リングコアの嵌合孔に嵌合されるドラムコアと、前記磁芯部に巻装されたコイルとからなり、
前記絡げ端子は、前記コイルが絡げられる基端部が狭幅で、先端部に向かって広幅になるテーパ部を有し、該テーパ部には前記コイルの被覆を剥離するエッジを有するコイル端末処理溝が形成されていることを特徴とする小型昇圧トランス。
【手続補正２】
【補正対象書類名】明細書
【補正対象項目名】００１１
【補正方法】変更
【補正の内容】
【００１１】
本発明は、周側部に絡げ端子を設けた台座と、頂壁及び頂壁と一体に構成された側壁を有し、前記頂壁に円形の嵌合孔を有し、前記台座に載置されるリングコアと、磁芯部を有し、該磁芯部の両端部に鍔部を有し、一方の鍔部が載置され、他方の鍔部が前記リングコアの嵌合孔に嵌合されるドラムコアと、前記磁芯部に巻装されたコイルとからなり、前記絡げ端子は、前記コイルが絡げられる基端部が狭幅で、先端部に向かって広幅になるテーパ部を有し、該テーパ部には前記コイルの被覆を剥離するエッジを有するコイル端末処理溝が形成されていることを特徴とする小型昇圧トランスである。